(57)【特許請求の範囲】
【請求項１】
マスクを有するＣＲＴ用のマイクロフォニック雑音減衰器クリップを形成する工程であって、
前記マスクは、それを通じたアパーチャを備えた周辺部分を有し、且つ、
前記減衰器クリップは、別個の第一の半体及び別個の第二の半体を有し、
前記半体の各々は、第一の自由な脚部及び第二の自由な脚部を有し、
前記工程は、
前記アパーチャの一つを通じて前記第一の半体の前記第一の自由な脚部を挿入すること、
前記アパーチャの別のものを通じて前記第二の半体の前記第一の自由な脚部を挿入すること、
前記第一の及び第二の半体の前記第一の自由な脚部を変形することなく、前記第一の及び第二の半体の前記第一の自由な脚部を互いに向かって回転させること、並びに、
前記第一の及び第二の半体の前記第一の自由な脚部を接続すること
を含み、
それによって、前記第一の及び第二の半体は、前記減衰記クリップを形成する、マイクロフォニック雑音減衰器クリップを形成する工程。
【請求項２】
前記第一の及び第二の半体の前記第二の自由な脚部を接続することをさらに含む、請求項１に記載のマイクロフォニック雑音減衰器クリップを形成する工程。
【発明の詳細な説明】
【０００１】
【発明の属する技術分野】
本発明は、一般的に陰極線管に関り、特に陰極線管（ＣＲＴ）における伸張マスク（ｔｅｎｓｉｏｎ  ｍａｓｋ）に対するマイクロフォニック雑音減衰器クリップ（ｍｉｃｒｏｐｈｏｎｉｃ  ｄａｍｐｅｒ  ｃｌｉｐ）に関する。
【０００２】
【従来の技術】
カラー受像管は、三つの電子ビームを形成しその管のスクリーンに向ける為の電子銃を含む。スクリーンは、その管の面板パネルの内面に設置され、三つの異なる色を放出する蛍光体の素子の配列を含む。受動的、即ちシャドウマスクか又は能動的、即ちフォーカスマスク（ｆｏｃｕｓ  ｍａｓｋ）かどちらでもよいアパーチャマスクは、その銃とスクリーンの間に挿入され、各々の電子ビームが、そのビームと関係付けられる蛍光体の素子にのみ当たることを許容する。アパーチャマスクは、その管の面板の内面に幾分平行するように輪郭がある、鋼のような金属の薄いシートである。アパーチャマスクを、形成しても、伸張しても、どちらでもよい。
【０００３】
【発明が解決しようとする課題】
伸張マスクは、強い特別に成形された枠を覆って伸ばされ、柱面の領域を形成するか、又は代わりに実質的に平坦なマスクを形成するように成形される。伸張は、マスクに形成されたアパーチャがスクリーン上の蛍光体の素子と一直線になったままであることを確実にする。この設計は、マスクが、別名マイクロフォニック雑音の外部の源（例えばその管付近のスピーカー）からの振動を受けるという不都合を有する。このような振動は、電子ビームが通過するアパーチャの位置決めを変動させ、可視表示の揺らぎに帰着する。理想的には、商業的に存続できるテレビ受像管を製造する為に、これらの振動を除去する、又は少なくとも緩和する必要がある。
【０００４】
【課題を解決するための手段】
本発明は、伸張マスクの境界部（ｂｏｒｄｅｒ）に取り付けられる振動減衰器クリップを有するＣＲＴを提供する。振動減衰器クリップは、各々の半体（ｈａｌｖｅ）が第一及び第二の脚部（ｌｅｇ）を有する二つの半体で形成される。各々の半体からの第一の脚部は、伸張マスクの境界部上に配置されたそれぞれのアパーチャの中へ挿入される。各々の半体を、回転させ、ここで各々の第一の脚部は、互いに接触する。次に第一の脚部を、相互に取り付ける。接合するとき、両方の半体は、伸張マスクが受ける振動を減衰させる為の減衰器クリップ（ｄａｍｐｅｒ  ｃｌｉｐ）を形成する。
【０００５】
【発明の実施の形態】
本発明の教唆を、添付する図面と併せて次の詳細な説明を考慮することによって容易に理解することができる。
【０００６】
理解を促進する為に、図に共通な同一の要素を示す為に、可能である場合には、同一の引用符を使用している。
【０００７】
図１は、長方形のファンネル１８によって接続される長方形の面板パネル（ｆａｃｅｐｌａｔｅ  ｐａｎｅｌ）１４及び管状の足管（ｎｅｃｋ）１６を含むガラスの外囲器（ｇｌａｓｓ  ｅｎｖｅｌｏｐｅ）１２を有するＣＲＴ１０を示す。ファンネル１８は、陽極ボタン（ａｎｏｄｅ  ｂｕｔｔｏｎ）２０から足管１６及びパネル１４に向かって広がる内部の導電性塗膜（示してない）を有する。パネル１４は、画面２２、及びガラスフリット（ｇｌａｓｓ  ｆｒｉｔ）２６によってファンネル１８へ密封される周辺フランジ又は側壁２４、を含む。三色蛍光体スクリーン２８は、面板パネル１４の内面によって支えられる。スクリーン２８は、三つ組で配置される蛍光体の線を伴った線スクリーンであり、各三つ組は、三原色の各々における蛍光体の線を含む。伸張マスク３０は、スクリーン２８に対して予め決められた間隔を空けた関係で、取り外し可能に載置される。（図１における破線で概略的に示す）電子銃３２は、足管１６内に中心に載置され、マスク３０を通じてスクリーン２８への収束経路に沿って、三つの列を成した電子ビーム、即ちセンタービーム及び二つの副ビームを発生させる。
【０００８】
ＣＲＴ１０は、ファンネル乃至足管の接合部の近傍に示されるヨーク（ｙｏｋｅ）３４のような、外部の磁気偏向ヨークと共に使用されるように、設計される。起動するとき、ヨーク３４は、スクリーン２８を越える長方形のラスタにおいてビームを水平及び垂直に走査する磁場を、三つのビームに受けさせる。
【０００９】
伸張マスク３０は、その断面を図４Ａ、Ｂ、及びＣに示すが、枠３６へ伸張状態で、内部接続及び保持される。伸張マスク３０の長辺は、ＣＲＴ１０の中心の長軸Ｘに平行し、短辺は、ＣＲＴ１０の中心の短軸Ｙに平行する。長及び短軸は、示すような実質的に平坦なマスクの場合において、伸張マスク３０の平面に沿ってある。伸張マスク３０は、一般的に平行線模様のように説明されるアパーチャ部分３８を含む。伸張マスク３０は、境界部５６を有する。減衰器クリップ５８は、以下でより詳細に記述するつもりであるような伸張マスク３０における振動を緩和する為に、境界部５６へ取り付けられる。図２Ａ及び図２Ｂは共に、先行技術の減衰器クリップ５０を描く。具体的には、減衰器クリップ５０は、Ｕ形状を形成する為に中央の部材５４へ接続される一組の脚部５２を含む。減衰器クリップ５０は、一組の脚部５２を接触することなく互いに向けて押し付け曲げるようにして、伸張マスク３０の境界部５６の中へ“留められる（ｓｔａｐｌｅｄ）”（図２参照）。伸張マスク３０の境界部５６へ減衰器を留めることは、伸張マスク３０の柔軟な境界部５６を弱体化させ、それによってマスクを廃棄することによって、伸張マスク３０を破損し得る。また、減衰器クリップ５０が適切に形成されないとすれば、マスク３０上の振動エネルギーを、適切に減衰させることができない。最終的に、留める工程は、マスク３０上の閉鎖されたアパーチャ及び／又は減衰器クリップ５０の低下した特性に帰着する、減衰器クリップ５０のメッキを剥がすことを引き起こし得る。
【００１０】
図３は、本発明に従う減衰器クリップ５８を描く。具体的には、図３は、第一の半体５８１及び第二の半体５８２（共同で減衰器クリップ５８）を含む減衰器クリップの各々の半体を描く。
【００１１】
減衰器クリップ５８の各々の半体は、第一のＬ形状の脚部６０を有する。減衰器クリップ５８の両方の半体における第二の脚部６１は、一般的に伸張マスク３０の表面に対して平行に、第一の脚部６０に極めて接近してあり、好ましくは第一の脚部６０よりも短い。第一の脚部６０間の間隔は、好ましくは、第二の脚部６１から約１００ミルであり、共に一般的にＵ形状体（Ｕ−ｓｈａｐｅｄ  ｂｏｄｙ）を形成する。しかしながら、脚部６０及び６１の長さ及び形状は、様々な大きさ、並びに伸張マスク３０の境界部５６内に載置されるとき、減衰器クリップ５８における両方の半体の合体を許容する為に構築される各々の半体５８１及び５８２からの少なくとも一つの脚部を伴った構成、であってもよい。
【００１２】
図４Ａ、４Ｂ、及び４Ｃは共に、伸張マスク３０の境界部５６中へ挿入される減衰器クリップ５８を描く。具体的には、約８０ミルの直径を有する複数のアパーチャ６３を、伸張マスク３０の境界部５６上で予め形成した。減衰器クリップ５８の各々の半体における第一の脚部６０を、アパーチャ６３を通じて挿入する（図４Ａ参照）。
【００１３】
第一及び第二の半体５８１及び５８２における第一の脚部６０を実質的にアパーチャ６３を通じて挿入するように、第一及び第二の半体５８１及び５８２を９０度回転させる（図４Ｂ参照）。次に、第一及び第二の半体５８１及び５８２における第一の脚部６０を、互いに一列に整列させ、溶接、接合、圧接、接着などによって接続し（図４Ｃ参照）、それによって、第一及び第二の半体５８１及び５８２を合体させ、減衰器クリップ５８を形成する。第一の脚部６０のみが取り付けられることを示したとは言え、各々の半体５８１及び５８２を境界部５６へ載置させた後に、両方の脚部を取り付けてもよい。また、一つの減衰器クリップを示したとは言え、マスクの振動を適切に減衰させる為に追加のクリップを使用してもよい。
【００１４】
図４Ａ乃至４Ｃの実施例は、望まれる場合には全ての標準的なメッキの材料で予めメッキすることができる鋼又はアルミニウムのような切り出した及び曲げられた金属合金の部分に関する。脚部６０及び６１は、自由端（ｆｒｅｅ  ｅｎｄ）を同じ向きに向けるように、折り曲げられる。しかしながら本発明は、その主旨又は本質の特徴から逸脱することなく、脚部６０及び６１を反対方向に折り曲げるような、多くの変化及び変更を受けてもよい。加えて、減衰クリップ５８を、従来形成された鋳型で大量生産し、それによってその材料を、上述の形状に曲げる必要性を除去してもよい。
【００１５】
本発明の教唆を組み込む実施例を、詳細に示し記載してきたが、当業者は、本発明の主旨から逸脱することなくこれらの教唆をやはり含む多くの他の多様な実施例を容易に工夫することができる。
【００１６】
［付記］
付記（１）：近接する減衰器クリップを有するＣＲＴであって、前記減衰器クリップは、伸張マスクの境界部に載置されるように改造され、前記減衰器クリップは、第一の半体、及び別個の第二の半体を含み、各々の前記半体は、第一の脚部、及び不可欠な第二の脚部を有し、前記脚部の前記各々における少なくとも一つの自由端は、前記減衰クリップを形成する為に、互いに取り付けられるＣＲＴ。
付記（２）：前記半体の各々は、一般的にＵ形状体を形成する付記（１）記載のＣＲＴ。
付記（３）：前記第二の脚部の各々は、前記第一の脚部よりも短い付記（１）記載のＣＲＴ。
付記（４）：前記第一の脚部の各々は、一般的にＬ形状である付記（１）記載のＣＲＴ。
付記（５）：伸張マスクの境界部におけるアパーチャを通じて配置されるように改造されたマイクロフォニック雑音減衰器クリップを有するＣＲＴであって、前記減衰器クリップは、第一の半体、及び別個の第二の半体を含み、前記半体の各々は、第一の自由な脚部、及び第二の自由な脚部を有し、前記半体の各々における一つの脚部は、前記伸張マスクの前記境界部上に配置される前記アパーチャの一つを通じて挿入され、相互に取り付けられるＣＲＴ。
付記（６）：前記第一の脚部の各々は、一般的にＬ形状であり、前記第二の脚部の各々は、前記伸張マスクの表面に対して一般的に平行である付記（５）記載のＣＲＴ。
付記（７）：少なくとも一つの前記第二の脚部は、前記第一の脚部よりも長さが長い付記（５）記載のＣＲＴ。
付記（８）：前記第一及び第二の脚部の各々は、相互に取り付けられる付記（５）記載のＣＲＴ。
付記（９）：マスクを有するＣＲＴに関するマイクロフォニック雑音減衰器クリップを形成する工程であって、前記マスクは、該マスクを通じたアパーチャを伴った境界部を有し、前記減衰器クリップは、別個の、第一の半体及び第二の半体を有し、前記半体の各々は、第一の自由な脚部及び第二の自由な脚部を有し、前記工程は、前記アパーチャの一つを通じて前記第一の半体における前記第一の自由な脚部を挿入するステップと、別の前記アパーチャを通じて前記第二の半体における前記第一の自由な脚部を挿入するステップと、前記第一及び第二の半体における前記第一の自由な脚部を互いに向けて回転させるステップと、前記第一及び第二の半体における前記第一の自由な脚部を接続し、前記第一及び第二の半体は、前記減衰記クリップを形成するステップと、を含むマイクロフォニック雑音減衰器クリップを形成する工程。
付記（１０）：前記第一及び第二の半体における前記第二の自由な脚部を接続することをさらに含む付記（９）記載のマイクロフォニック雑音減衰器クリップを形成する工程。
【図面の簡単な説明】
【図１】  本発明に従う伸張マスク−枠−組み立て品を含むカラー受像管の、部分的に横断面である側面図である。
【図２Ａ】  先行技術の減衰器クリップを示す図である。
【図２Ｂ】  先行技術の減衰器クリップを示す図である。
【図３】  本発明に従う減衰器クリップを示す図である。
【図４Ａ】  伸張マスクの境界部の中へ挿入される減衰器クリップの各々の半体を示す図である。
【図４Ｂ】  伸張マスクの境界部の中へ挿入される減衰器クリップの各々の半体を示す図である。
【図４Ｃ】  伸張マスクの境界部の中へ挿入される減衰器クリップの各々の半体を示す図である。
【符号の説明】
１０    ＣＲＴ
１２    外囲器
１４    パネル
１６    足管
１８    ファンネル
２０    陽極ボタン
２２    画面
２４    側壁
２６    ガラスフリット
２８    スクリーン
３０    伸張マスク
３２    電子銃
３４    ヨーク
３６    枠
３８    アパーチャ部分
５０    減衰器クリップ
５２    一組の脚部
５４    中央の部材
５６    境界部
５８    減衰器クリップ
５８１    第一の半体
５８２    第二の半体
６０    第一の脚部
６１    第二の脚部
６３    アパーチャ
【図１】
0003962600.tif 000002
【図２Ａ】
0003962600.tif 000003
【図２Ｂ】
0003962600.tif 000004
【図３】
0003962600.tif 000005
【図４Ａ】
0003962600.tif 000006
【図４Ｂ】
0003962600.tif 000007
【図４Ｃ】
0003962600.tif 000008